(57)【要約】【課題】親展印刷の終了を待つユーザーの印刷待ち時間を短縮可能な画像形成システム、画像形成装置、情報処理装置、及び画像形成方法を提供すること。【解決手段】画像形成システム１００は、原稿の一部を親展印刷ページとして決定する決定処理部３１１と、親展印刷ページを含む原稿を印刷する親展印刷ジョブの実行指示を受信した場合に、当該親展印刷ジョブの印刷対象のうち親展印刷ページを除く通常印刷ページを印刷し、親展印刷ページの印刷を留保する第１印刷制御部１１１と、親展印刷ジョブの実行指示の送信者が画像形成装置１０の設置位置に到達したと判定された場合に、当該親展印刷ジョブの印刷対象のうち親展印刷ページを印刷する第２印刷制御部１１３と、を備える。【選択図】図１
2020029059.tif 000002
【特許請求の範囲】
【請求項１】
複数ページを含む原稿の一部を親展印刷ページとして決定する決定処理部と、
前記親展印刷ページを含む前記原稿を印刷する親展印刷ジョブの実行指示を受信した場合に、当該親展印刷ジョブの印刷対象のうち前記親展印刷ページを除く通常印刷ページを印刷し、前記親展印刷ページの印刷を留保する第１印刷制御部と、
前記親展印刷ジョブの実行指示の送信者が画像形成装置の設置位置に到達したか否かを判定する判定処理部と、
前記判定処理部により前記親展印刷ジョブの実行指示の送信者が前記画像形成装置の設置位置に到達したと判定された場合に、当該親展印刷ジョブの前記印刷対象のうち前記親展印刷ページを印刷する第２印刷制御部と、
を備える画像形成システム。
【請求項２】
前記判定処理部は、予め定められた認証方法によって前記画像形成装置の操作者が前記親展印刷ジョブの実行指示の送信者であることが認証された場合に、前記親展印刷ジョブの実行指示の送信者が前記画像形成装置の設置位置に到達したと判定する、
請求項１に記載の画像形成システム。
【請求項３】
前記親展印刷ページ各々にセキュリティーレベルを設定する第１設定処理部を備え、
前記判定処理部は、互いに前記セキュリティーレベルが異なる複数の前記親展印刷ページが前記印刷対象に含まれる場合に、当該複数の前記親展印刷ページに対応する複数の前記セキュリティーレベルのうち、最も高い前記セキュリティーレベルに対応する前記認証方法を用いて、前記画像形成装置の操作者が前記親展印刷ジョブの実行指示の送信者であることを認証する、
請求項２に記載の画像形成システム。
【請求項４】
前記親展印刷ジョブにセキュリティーレベルを設定する第１設定処理部を備え、
前記判定処理部は、前記親展印刷ジョブに設定された前記セキュリティーレベルに対応する前記認証方法を用いて、前記画像形成装置の操作者が前記親展印刷ジョブの実行指示の送信者であることを認証する、
請求項２に記載の画像形成システム。
【請求項５】
前記親展印刷ジョブにパスワードを設定する第２設定処理部と、
前記画像形成装置の操作者を撮影する撮影部と、
を備え、
前記認証方法は、音声によって入力された文字情報が前記第２設定処理部によって設定された前記パスワードと一致し、当該音声が前記親展印刷ジョブの実行指示の送信者の音声であると判断され、前記撮影部によって撮影された画像データに基づいて当該音声の発声者が前記親展印刷ジョブの実行指示の送信者であると判断され、且つ前記撮影部によって撮影された画像データに基づいて当該音声の発声者が前記画像形成装置による指示に従った動作を行ったと判断された場合に、認証成功と判断する方法を含む、
請求項２〜４のいずれかに記載の画像形成システム。
【請求項６】
前記親展印刷ジョブの前記印刷対象に含まれるページ各々に、当該ページが属する前記印刷対象においてページ順に連続する前記親展印刷ページ又は前記通常印刷ページによって構成されるグループ及び当該グループの前記印刷対象における並び順の両方を示す識別画像を付加する付加処理部を備え、
前記第１印刷制御部は、前記識別画像が付加された前記通常印刷ページ各々を印刷し、
前記第２印刷制御部は、前記識別画像が付加された前記親展印刷ページ各々を印刷する、
請求項１〜５のいずれかに記載の画像形成システム。
【請求項７】
予め定められた親展印刷ページを含む複数ページの原稿を印刷する親展印刷ジョブの実行指示を受信した場合に、当該親展印刷ジョブの印刷対象のうち前記親展印刷ページを除く通常印刷ページを印刷し、前記親展印刷ページの印刷を留保する第１印刷制御部と、
前記親展印刷ジョブの実行指示の送信者が画像形成装置の設置位置に到達したか否かを判定する判定処理部と、
前記判定処理部により前記親展印刷ジョブの実行指示の送信者が前記画像形成装置の設置位置に到達したと判定された場合に、当該親展印刷ジョブの前記印刷対象のうち前記親展印刷ページを印刷する第２印刷制御部と、
を備える画像形成装置。
【請求項８】
複数ページを含む原稿の一部を親展印刷ページとして決定する決定処理部と、
前記親展印刷ページを含む前記原稿を印刷する親展印刷ジョブの実行指示を画像形成装置に送信する送信処理部と、
を備える情報処理装置。
【請求項９】
複数ページを含む原稿の一部を親展印刷ページとして決定する決定ステップと、
前記親展印刷ページを含む前記原稿を印刷する親展印刷ジョブの実行指示を受信した場合に、当該親展印刷ジョブの印刷対象のうち前記親展印刷ページを除く通常印刷ページを印刷し、前記親展印刷ページの印刷を留保する第１印刷ステップと、
前記親展印刷ジョブの実行指示の送信者が画像形成装置の設置位置に到達したか否かを判定する判定ステップと、
前記判定ステップにより前記親展印刷ジョブの実行指示の送信者が前記画像形成装置の設置位置に到達したと判定された場合に、当該親展印刷ジョブの前記印刷対象のうち前記親展印刷ページを印刷する第２印刷ステップと、
を含む画像形成方法。
【発明の詳細な説明】
【技術分野】
【０００１】
本発明は、親展印刷を行うことが可能な画像形成システム、画像形成装置、情報処理装置、及び画像形成方法に関する。
【背景技術】
【０００２】
情報処理装置から実行指示が送信された印刷ジョブの実行を、当該実行指示の送信者が画像形成装置の設置位置に到達したと判断されるまで留保する所謂親展印刷を行うことが可能な画像形成システムが知られている（例えば、特許文献１参照）。
【先行技術文献】
【特許文献】
【０００３】
【特許文献１】特開２００４−２０６６３６号公報
【発明の概要】
【発明が解決しようとする課題】
【０００４】
ところで、前記親展印刷を行うことが可能な従来の画像形成システムでは、情報処理装置から実行指示が送信された印刷ジョブは、当該実行指示の送信者が画像形成装置の設置位置に到達したと判断された後にその実行が開始される。そのため、ユーザーは、前記印刷ジョブの実行開始時から当該印刷ジョブの終了を画像形成装置の傍で待つ必要がある。
【０００５】
本発明の目的は、親展印刷の終了を待つユーザーの印刷待ち時間を短縮可能な画像形成システム、画像形成装置、情報処理装置、及び画像形成方法を提供することにある。
【課題を解決するための手段】
【０００６】
本発明の一の局面に係る画像形成システムは、決定処理部と、第１印刷制御部と、判定処理部と、第２印刷制御部と、を備える。前記決定処理部は、複数ページを含む原稿の一部を親展印刷ページとして決定する。前記第１印刷制御部は、前記親展印刷ページを含む前記原稿を印刷する親展印刷ジョブの実行指示を受信した場合に、当該親展印刷ジョブの印刷対象のうち前記親展印刷ページを除く通常印刷ページを印刷し、前記親展印刷ページの印刷を留保する。前記判定処理部は、前記親展印刷ジョブの実行指示の送信者が画像形成装置の設置位置に到達したか否かを判定する。前記第２印刷制御部は、前記判定処理部により前記親展印刷ジョブの実行指示の送信者が前記画像形成装置の設置位置に到達したと判定された場合に、当該親展印刷ジョブの前記印刷対象のうち前記親展印刷ページを印刷する。
【０００７】
本発明の他の局面に係る画像形成装置は、第１印刷制御部と、判定処理部と、第２印刷制御部と、を備える。前記第１印刷制御部は、予め定められた親展印刷ページを含む複数ページの原稿を印刷する親展印刷ジョブの実行指示を受信した場合に、当該親展印刷ジョブの印刷対象のうち前記親展印刷ページを除く通常印刷ページを印刷し、前記親展印刷ページの印刷を留保する。前記判定処理部は、前記親展印刷ジョブの実行指示の送信者が画像形成装置の設置位置に到達したか否かを判定する。前記第２印刷制御部は、前記判定処理部により前記親展印刷ジョブの実行指示の送信者が前記画像形成装置の設置位置に到達したと判定された場合に、当該親展印刷ジョブの前記印刷対象のうち前記親展印刷ページを印刷する。
【０００８】
本発明の他の局面に係る情報処理装置は、決定処理部と、送信処理部とを備える。前記決定処理部は、複数ページを含む原稿の一部を親展印刷ページとして決定する。前記送信処理部は、前記親展印刷ページを含む前記原稿を印刷する親展印刷ジョブの実行指示を画像形成装置に送信する。
【０００９】
本発明の他の局面に係る画像形成方法は、決定ステップと、第１印刷ステップと、判定ステップと、第２印刷ステップと、を含む。前記決定ステップでは、複数ページを含む原稿の一部が親展印刷ページとして決定される。前記第１印刷ステップでは、前記親展印刷ページを含む前記原稿を印刷する親展印刷ジョブの実行指示を受信した場合に、当該親展印刷ジョブの印刷対象のうち前記親展印刷ページを除く通常印刷ページが印刷され、前記親展印刷ページの印刷が留保される。前記判定ステップでは、前記親展印刷ジョブの実行指示の送信者が画像形成装置の設置位置に到達したか否かが判定される。前記第２印刷ステップでは、前記判定ステップにより前記親展印刷ジョブの実行指示の送信者が前記画像形成装置の設置位置に到達したと判定された場合に、当該親展印刷ジョブの前記印刷対象のうち前記親展印刷ページが印刷される。
【発明の効果】
【００１０】
本発明によれば、親展印刷の終了を待つユーザーの印刷待ち時間を短縮することが可能である。
【図面の簡単な説明】
【００１１】
【図１】図１は、本発明の実施形態に係る画像形成システムの構成を示す図である。
【図２】図２は、本発明の実施形態に係る画像形成システムに含まれる画像形成装置の構成を示す図である。
【図３】図３は、本発明の実施形態に係る画像形成システムで実行される印刷ジョブ送信処理の一例を示すフローチャートである。
【図４】図４は、本発明の実施形態に係る画像形成システムで実行される印刷ジョブ実行処理の一例を示すフローチャートである。
【図５】図５は、本発明の実施形態に係る画像形成システムで印刷される識別画像の一例を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定するものではない。
【００１３】
［画像形成システム１００］
本発明の実施形態に係る画像形成システム１００は、画像形成装置１０と、一又は複数の情報処理装置３０とを含む。図１に示されるように、画像形成装置１０、及び情報処理装置３０は、互いに通信ネットワーク４０を介して相互に通信可能に接続されている。例えば、通信ネットワーク４０は、インターネット又はＬＡＮ（ローカルエリアネットワーク）である。なお、図１において、画像形成装置１０、及び情報処理装置３０は、二点鎖線によって示されている。
【００１４】
［画像形成装置１０］
画像形成装置１０は、原稿を印刷する印刷ジョブを実行可能である。例えば、画像形成装置１０は、原稿から画像データを読み取るスキャン機能、及び画像データに基づいて画像を形成するプリント機能と共に、ファクシミリ機能、及びコピー機能などの複数の機能を有する複合機である。なお、画像形成装置１０は、プリンター、ファクシミリ装置、又はコピー機であってもよい。
【００１５】
図１及び図２に示されるように、画像形成装置１０は、制御部１１、ＡＤＦ（自動原稿搬送装置）１２、画像読取部１３、画像形成部１４、給紙部１５、操作表示部１６、通信部１７、記憶部１８、音声入出力部１９、及び撮影部２０を備える。
【００１６】
制御部１１は、ＣＰＵ１１Ａ、ＲＯＭ１１Ｂ、及びＲＡＭ１１Ｃなどの制御機器を備える。ＣＰＵ１１Ａは、各種の演算処理を実行するプロセッサーである。ＲＯＭ１１Ｂは、ＣＰＵ１１Ａに各種の処理を実行させるための制御プログラムなどの情報が予め記憶される不揮発性の記憶装置である。ＲＡＭ１１Ｃは、ＣＰＵ１１Ａが実行する各種の処理の一時記憶メモリー（作業領域）として使用される揮発性の記憶装置である。制御部１１では、ＣＰＵ１１ＡによりＲＯＭ１１Ｂに予め記憶された各種の制御プログラムが実行される。これにより、画像形成装置１０が制御部１１により統括的に制御される。なお、制御部１１は、集積回路（ＡＳＩＣ）などの電子回路で構成されたものであってもよく、画像形成装置１０を統括的に制御するメイン制御部とは別に設けられた制御部であってもよい。
【００１７】
ＡＤＦ１２は、原稿セット部、複数の搬送ローラー、原稿押さえ、及び排紙部を備え、画像読取部１３によって読み取られる原稿を搬送する。
【００１８】
画像読取部１３は、原稿台、光源、複数のミラー、光学レンズ、及びＣＣＤを備え、原稿から画像データを読み取ることが可能である。
【００１９】
画像形成部１４は、画像読取部１３で読み取られた画像データに基づいて、電子写真方式でシートにカラー又はモノクロの画像を形成することが可能である。また、画像形成部１４は、情報処理装置３０から入力された画像データに基づいて、シートに画像を形成することも可能である。具体的に、画像形成部１４は、複数の画像形成ユニット、光走査装置（ＬＳＵ）、中間転写ベルト、二次転写ローラー、定着装置、及び排紙トレイを備える。なお、画像形成部１４は、インクジェット方式などの他の画像形成方式により画像を形成するものであってもよい。
【００２０】
給紙部１５は、給紙カセット１５１、手差しトレイ１５２、及び複数の搬送ローラーを備え、画像形成部１４にシートを供給する。画像形成部１４は、給紙部１５から供給されるシートに、画像データに基づく画像を形成する。
【００２１】
操作表示部１６は、制御部１１からの制御指示に応じて各種の情報を表示する液晶ディスプレーなどの表示部、及びユーザーの操作に応じて制御部１１に各種の情報を入力する操作キー又はタッチパネルなどの操作部を有する。
【００２２】
通信部１７は、情報処理装置３０などの外部の通信装置との間で、通信ネットワーク４０を介して有線又は無線によるデータ通信を実行することが可能である。
【００２３】
記憶部１８は、不揮発性の記憶装置である。例えば、記憶部１８は、フラッシュメモリー、及びＥＥＰＲＯＭ（登録商標）などの不揮発性メモリ、ＳＳＤ（ソリッドステートドライブ）、並びにＨＤＤ（ハードディスクドライブ）などの記憶装置である。
【００２４】
記憶部１８には、後述の印刷ジョブ実行処理（図４のフローチャート参照）に対応する印刷ジョブ実行プログラムが予め格納されている。前記印刷ジョブ実行プログラムは、ＣＰＵ１１Ａに前記印刷ジョブ実行処理を実行させるためのプログラムである。
【００２５】
また、記憶部１８には、情報処理装置３０各々に対応する装置識別情報が予め格納されている。前記装置識別情報は、前記印刷ジョブの実行指示の送信元となる情報処理装置３０の識別に用いられる情報である。例えば、前記装置識別情報は、ＩＰアドレス、又はＭＡＣアドレスである。
【００２６】
また、記憶部１８には、画像形成装置１０のユーザーの識別に用いられるユーザー識別情報が、予め前記装置識別情報に対応付けられて格納されている。例えば、前記ユーザー識別情報は、ユーザーの声紋データ、及び顔画像データである。なお、前記ユーザー識別情報は、ユーザーの指紋画像データ、及び虹彩画像データ、並びにパスワードなどを含んでいてもよい。
【００２７】
音声入出力部１９は、音声データを出力するスピーカー、及び画像形成装置１０への音声入力に用いられるマイクなどを備える。
【００２８】
撮影部２０は、画像形成装置１０の操作者を撮影可能なカメラなどを備える。例えば、撮影部２０は、制御部１１からの制御指示に応じて、０．１秒のような予め定められた時間間隔で画像データ（静止画像データ）を取得して、取得された画像データを制御部１１にリアルタイムで入力する。
【００２９】
［情報処理装置３０］
情報処理装置３０は、画像形成装置１０に前記印刷ジョブの実行指示を送信することが可能である。例えば、情報処理装置３０はパーソナルコンピューターである。なお、情報処理装置３０は、スマートフォン、タブレット端末、携帯電話、ＰＤＡ、又はノートパソコンなどであってもよい。
【００３０】
図１に示されるように、情報処理装置３０は、制御部３１、操作表示部３２、通信部３３、及び記憶部３４を備える。
【００３１】
制御部３１は、画像形成装置１０の制御部１１と同様に、ＣＰＵ３１Ａ、ＲＯＭ３１Ｂ、及びＲＡＭ３１Ｃなどの制御機器を備える。制御部３１では、ＣＰＵ３１ＡによりＲＯＭ３１Ｂに予め記憶された各種の制御プログラムが実行される。これにより、情報処理装置３０が制御部３１により統括的に制御される。
【００３２】
操作表示部３２は、制御部３１からの制御指示に応じて各種の情報を表示する液晶ディスプレーなどの表示部、及びユーザーの操作に応じて制御部３１に各種の情報を入力する操作キー又はタッチパネルなどの操作部を有する。
【００３３】
通信部３３は、画像形成装置１０などの外部の通信装置との間で、通信ネットワーク４０を介して有線又は無線によるデータ通信を実行することが可能である。
【００３４】
記憶部３４は、画像形成装置１０の記憶部１８と同様に、不揮発性の記憶装置である。
【００３５】
記憶部３４には、画像形成装置１０の制御に用いられるプリンタードライバーが予め格納されている。情報処理装置３０は、前記プリンタードライバーがインストールされることによって、画像形成装置１０との間で通信を行い、画像形成装置１０を制御することが可能である。
【００３６】
画像形成システム１００は、情報処理装置３０から実行指示が送信された前記印刷ジョブの実行を、当該実行指示の送信者が画像形成装置１０の設置位置に到達したと判断されるまで留保する所謂親展印刷を行うことが可能である。
【００３７】
ところで、前記親展印刷を行うことが可能な従来の画像形成システムでは、情報処理装置３０から実行指示が送信された前記印刷ジョブは、当該実行指示の送信者が画像形成装置１０の設置位置に到達したと判断された後にその実行が開始される。そのため、ユーザーは、前記印刷ジョブの実行開始時から当該印刷ジョブの終了を画像形成装置１０の傍で待つ必要がある。
【００３８】
これに対し、本発明の実施形態に係る画像形成システム１００では、以下に説明するように、前記親展印刷の終了を待つユーザーの印刷待ち時間を短縮することが可能である。
【００３９】
次に、情報処理装置３０の制御部３１について詳しく説明する。図１に示されるように、制御部３１は、決定処理部３１１、第１設定処理部３１２、第２設定処理部３１３、及び送信処理部３１４を含む。具体的に、制御部３１は、ＣＰＵ３１Ａを用いて記憶部３４に格納されている前記プリンタードライバーを実行する。これにより、制御部３１は、決定処理部３１１、第１設定処理部３１２、第２設定処理部３１３、及び送信処理部３１４として機能する。
【００４０】
決定処理部３１１は、複数ページを含む原稿の一部を親展印刷ページとして決定する。
【００４１】
ここで、前記親展印刷ページは、前記印刷ジョブの印刷対象に定められた原稿に含まれるページのうち、当該印刷ジョブの実行指示の送信者が画像形成装置１０の設置位置に到達したと判定されるまで印刷が留保されるページである。以下、前記印刷ジョブのうち、前記印刷対象に前記親展印刷ページが含まれる前記印刷ジョブを「親展印刷ジョブ」と呼称する。
【００４２】
例えば、情報処理装置３０では、操作表示部３２におけるユーザーの操作に応じて、前記印刷ジョブについての各種の設定項目の設定、及び前記印刷ジョブの実行指示の送信指示の入力に用いられる設定画面が操作表示部３２に表示される。ここで、前記設定項目には、前記親展印刷が含まれる。また、前記設定項目には、印刷範囲、印刷部数、拡大縮小率、シートサイズ、カラー印刷、両面印刷、及び集約印刷などが含まれる。なお、前記集約印刷とは、シートの一面に２、４、又は８ページを印刷することである。
【００４３】
決定処理部３１１は、前記設定画面において前記親展印刷が設定対象に選択された場合に、前記印刷対象に含まれる複数のページから前記親展印刷ページとして決定されるページの選択に用いられるページ選択画面を操作表示部３２に表示させる。そして、決定処理部３１１は、前記ページ選択画面におけるユーザーの操作に応じて、複数ページを含む原稿の一部を前記親展印刷ページとして決定する。
【００４４】
なお、決定処理部３１１は、前記設定画面において前記親展印刷が設定対象に選択された場合に、前記印刷対象に含まれる複数のページから前記親展印刷ページとして決定されるページを自動で選択してもよい。例えば、決定処理部３１１は、前記印刷対象に含まれる複数のページのうち、「マル秘」、「社外秘」、「関係者以外閲覧不可」のような予め定められたキーワード、又は前記キーワードを含む印影のような予め定められたマークを有するページを前記親展印刷ページとして決定してもよい。
【００４５】
第１設定処理部３１２は、前記親展印刷ページ各々にセキュリティーレベルを設定する。
【００４６】
例えば、画像形成システム１００では、前記親展印刷ページ各々にレベル１からレベル４までの４段階の前記セキュリティーレベルを設定することが可能である。画像形成システム１００では、前記セキュリティーレベルが高くなるほど、当該セキュリティーレベルが設定された前記親展印刷ページの印刷に必要な認証手続がより厳格なものとなる。なお、前記セキュリティーレベルは、２段階、３段階、又は５段階以上であってもよい。
【００４７】
例えば、第１設定処理部３１２は、決定処理部３１１によって前記親展印刷ページが決定された場合に、前記親展印刷ページ各々への前記セキュリティーレベルの設定に用いられるセキュリティーレベル設定画面を操作表示部３２に表示させる。そして、第１設定処理部３１２は、前記セキュリティーレベル設定画面におけるユーザーの操作に応じて、前記親展印刷ページ各々に前記セキュリティーレベルを設定する。
【００４８】
なお、第１設定処理部３１２は、決定処理部３１１によって前記親展印刷ページが自動で決定される場合に、前記親展印刷ページ各々に設定される前記セキュリティーレベルを自動で決定してもよい。例えば、第１設定処理部３１２は、前記親展印刷ページに含まれる前記キーワード又は前記マークの種類に基づいて、前記親展印刷ページに前記セキュリティーレベルを設定してもよい。
【００４９】
また、第１設定処理部３１２は、前記親展印刷ジョブに前記セキュリティーレベルを設定してもよい。換言すると、第１設定処理部３１２は、前記印刷対象に含まれる前記親展印刷ページの全部に対して一つの前記セキュリティーレベルを設定してもよい。また、制御部３１は、第１設定処理部３１２を含んでいなくてもよい。
【００５０】
第２設定処理部３１３は、前記親展印刷ジョブにパスワードを設定する。
【００５１】
例えば、第２設定処理部３１３は、決定処理部３１１によって前記親展印刷ページが決定された場合に、前記親展印刷ジョブへのパスワードの設定に用いられるパスワード設定画面を操作表示部３２に表示させる。そして、第２設定処理部３１３は、前記パスワード設定画面におけるユーザーの操作に応じて、前記親展印刷ジョブにパスワードを設定する。なお、第２設定処理部３１３は、第１設定処理部３１２による前記セキュリティーレベルの設定処理の前に前記パスワード設定画面を表示させてもよいし、当該設定処理の後に前記パスワード設定画面を表示させてもよい。
【００５２】
なお、制御部３１は、第２設定処理部３１３を含んでいなくてもよい。
【００５３】
送信処理部３１４は、前記印刷ジョブの実行指示を画像形成装置１０に送信する。
【００５４】
例えば、送信処理部３１４は、前記設定画面において前記印刷ジョブの実行指示の送信指示が入力された場合に、当該設定画面で設定された設定内容を含む前記印刷ジョブの実行指示を画像形成装置１０に送信する。
【００５５】
次に、画像形成装置１０の制御部１１について詳しく説明する。図１に示されるように、制御部１１は、第１印刷制御部１１１、判定処理部１１２、第２印刷制御部１１３、及び付加処理部１１４を含む。具体的に、制御部１１は、ＣＰＵ１１Ａを用いて記憶部１８に格納されている前記印刷ジョブ実行プログラムを実行する。これにより、制御部１１は、第１印刷制御部１１１、判定処理部１１２、第２印刷制御部１１３、及び付加処理部１１４として機能する。
【００５６】
第１印刷制御部１１１は、情報処理装置３０によって送信される前記親展印刷ジョブの実行指示を受信した場合に、当該親展印刷ジョブの前記印刷対象のうち、前記親展印刷ページを除く通常印刷ページを印刷し、前記親展印刷ページの印刷を留保する。
【００５７】
具体的に、第１印刷制御部１１１は、前記印刷対象におけるページ順に従って、前記通常印刷ページを順次印刷する。
【００５８】
ここで、第１印刷制御部１１１は、前記親展印刷ジョブにおいて前記両面印刷及び前記集約印刷のいずれか一方又は両方が行われる場合に、当該親展印刷ジョブの前記印刷対象に含まれる前記親展印刷ページを予め定められた差し替え用ページに差し替えて、前記差し替え用ページを含む前記印刷対象をページ順に従って順次印刷する。例えば、前記差し替え用ページは、当該差し替え用ページに対応する前記親展印刷ページのページ番号のみを含む白紙ページである。なお、前記差し替え用ページは、当該差し替え用ページが前記親展印刷ページの替わりである旨を示す情報を含んでいてもよい。
【００５９】
判定処理部１１２は、前記親展印刷ジョブの実行指示の送信者が画像形成装置１０の設置位置に到達したか否かを判定する。
【００６０】
例えば、判定処理部１１２は、予め定められた認証方法によって画像形成装置１０の操作者が前記親展印刷ジョブの実行指示の送信者であることが認証された場合に、前記親展印刷ジョブの実行指示の送信者が画像形成装置１０の設置位置に到達したと判定する。
【００６１】
ここで、判定処理部１１２は、互いに前記セキュリティーレベルが異なる複数の前記親展印刷ページが前記印刷対象に含まれる場合に、当該複数の前記親展印刷ページに対応する複数の前記セキュリティーレベルのうち、最も高い前記セキュリティーレベルに対応する前記認証方法を用いて、画像形成装置１０の操作者が前記親展印刷ジョブの実行指示の送信者であることを認証する。
【００６２】
例えば、判定処理部１１２は、前記親展印刷ページに設定された前記セキュリティーレベルが「１」である場合に、第１の認証方法を用いて、画像形成装置１０の操作者が前記親展印刷ジョブの実行指示の送信者であることを認証する。ここで、前記第１の認証方法は、入力された文字情報が第２設定処理部３１３によって前記親展印刷ジョブに設定されたパスワードと一致する場合に、認証成功と判断する方法である。
【００６３】
例えば、判定処理部１１２は、音声入出力部１９を介して入力された音声に含まれる文字情報が前記親展印刷ジョブに設定されたパスワードと一致するか否かを判断する。具体的に、判定処理部１１２は、音声入出力部１９を介して入力された音声に対して、当該音声に含まれる文字情報を認識する文字認識処理を実行する。そして、判定処理部１１２は、前記文字認識処理の結果に基づいて、入力された音声に含まれる文字情報が前記親展印刷ジョブに設定されたパスワードと一致するか否かを判断する。
【００６４】
なお、判定処理部１１２は、操作表示部１６におけるユーザーの操作によって入力された文字情報が前記親展印刷ジョブに設定されたパスワードと一致するか否かを判断してもよい。
【００６５】
また、判定処理部１１２は、前記親展印刷ページに設定された前記セキュリティーレベルが「２」である場合に、第２の認証方法を用いて、画像形成装置１０の操作者が前記親展印刷ジョブの実行指示の送信者であることを認証する。ここで、前記第２の認証方法は、音声によって入力された文字情報が前記親展印刷ジョブに設定されたパスワードと一致し、且つ当該音声が前記親展印刷ジョブの実行指示の送信者の音声であると判断された場合に、認証成功と判断する方法である。前記第２の認証方法によれば、前記親展印刷ジョブに設定されたパスワードを不正に取得した第三者が当該親展印刷ページを印刷することを抑制可能である。
【００６６】
具体的に、判定処理部１１２は、前記親展印刷ジョブの実行指示の送信元に対応付けられた前記ユーザー識別情報に含まれる前記声紋データに基づいて、音声入出力部１９を介して入力される音声が前記親展印刷ジョブの実行指示の送信者の音声であるか否かを判断する。
【００６７】
また、判定処理部１１２は、前記親展印刷ページに設定された前記セキュリティーレベルが「３」である場合に、第３の認証方法を用いて、画像形成装置１０の操作者が前記親展印刷ジョブの実行指示の送信者であることを認証する。ここで、前記第３の認証方法は、前記第２の認証方法によって認証成功と判断され、且つ撮影部２０によって撮影された画像データに基づいて音声の発声者が前記親展印刷ジョブの実行指示の送信者であると判断された場合に、認証成功と判断する方法である。前記第３の認証方法によれば、前記親展印刷ジョブに設定されたパスワードを不正に取得した第三者が、当該パスワードを発声する前記親展印刷ジョブの実行指示の送信者の音声データを音声合成によって取得して、当該音声データの再生により前記親展印刷ページを印刷することを抑制可能である。
【００６８】
具体的に、判定処理部１１２は、前記親展印刷ジョブの実行指示の送信元に対応付けられた前記ユーザー識別情報に含まれる前記顔画像データに基づいて、撮影部２０によって撮影された画像データが前記親展印刷ジョブの実行指示の送信者の顔画像を含むか否かを判断する。また、判定処理部１１２は、撮影部２０によって撮影された画像データが前記親展印刷ジョブの実行指示の送信者の顔画像を含むと判断した場合に、当該顔画像に含まれる唇画像の形状変化から、当該顔画像に対応する被撮影者の発する音声に含まれる文字情報を認識する。換言すると、判定処理部１１２は、読唇術により、前記被撮影者の発する音声に含まれる文字情報を認識する。そして、判定処理部１１２は、前記被撮影者の発する音声に含まれる文字情報が前記親展印刷ジョブに設定されたパスワードと一致する場合に、音声入出力部１９を介して入力される音声の発声者が前記親展印刷ジョブの実行指示の送信者であると判断する。
【００６９】
また、判定処理部１１２は、前記親展印刷ページに設定された前記セキュリティーレベルが「４」である場合に、第４の認証方法を用いて、画像形成装置１０の操作者が前記親展印刷ジョブの実行指示の送信者であることを認証する。ここで、前記第４の認証方法は、前記第３の認証方法によって認証成功と判断され、且つ撮影部２０によって撮影された画像データに基づいて音声の発声者が画像形成装置１０による指示に従った動作を行ったと判断された場合に、認証成功と判断する方法である。前記第４の認証方法によれば、前記親展印刷ジョブに設定されたパスワードを不正に取得した第三者が、当該パスワードを発声する前記親展印刷ジョブの実行指示の送信者の動画データを音声合成及び画像合成によって取得して、当該動画データの再生により前記親展印刷ページを印刷することを抑制可能である。
【００７０】
具体的に、判定処理部１１２は、前記第３の認証方法によって認証成功と判断された後に、予め定められた複数の指示内容のなかから無作為に選択された一つの前記指示内容を音声でアナウンスする。例えば、前記指示内容は、「右手を挙げて下さい」のように、画像形成装置１０の操作者に対して当該操作者の体の一部を動かすことを求めるものである。なお、判定処理部１１２は、撮影部２０によって撮影される画像データに前記被撮影者の全身が含まれていない場合に、当該被撮影者の全身が撮影されるように、画像形成装置１０の操作者に対して画像形成装置１０から少し離れるように指示をする。そして、判定処理部１１２は、撮影部２０によって撮影された画像データに基づいて、画像形成装置１０の操作者がアナウンスされた前記指示内容に従った動作を行ったか否かを判断する。
【００７１】
なお、判定処理部１１２は、互いに前記セキュリティーレベルが異なる複数の前記親展印刷ページが前記印刷対象に含まれる場合に、前記セキュリティーレベルが共通の前記親展印刷ページごとに、当該親展印刷ページに設定された前記セキュリティーレベルに対応する前記認証方法を用いて、画像形成装置１０の操作者が前記親展印刷ジョブの実行指示の送信者であることを認証してもよい。
【００７２】
また、判定処理部１１２は、前記親展印刷ジョブに前記セキュリティーレベルが設定される場合は、前記親展印刷ジョブに設定された前記セキュリティーレベルに対応する前記認証方法を用いて、画像形成装置１０の操作者が前記親展印刷ジョブの実行指示の送信者であることを認証してもよい。
【００７３】
また、判定処理部１１２は、以上に述べたものとは異なる前記認証方法によって、画像形成装置１０の操作者が前記親展印刷ジョブの実行指示の送信者であることを認証してもよい。例えば、判定処理部１１２は、ユーザーに対応付けられたパスワードを用いたパスワード認証、指紋認証、及び虹彩認証のいずれか一つ又は複数を含む前記認証方法によって、画像形成装置１０の操作者が前記親展印刷ジョブの実行指示の送信者であることを認証してもよい。
【００７４】
第２印刷制御部１１３は、判定処理部１１２により前記親展印刷ジョブの実行指示の送信者が画像形成装置１０の設置位置に到達したと判定された場合に、当該親展印刷ジョブの前記印刷対象のうち前記親展印刷ページを印刷する。
【００７５】
具体的に、第２印刷制御部１１３は、前記印刷対象におけるページ順に従って、前記親展印刷ページを順次印刷する。
【００７６】
ここで、第２印刷制御部１１３は、前記親展印刷ジョブにおいて前記両面印刷及び前記集約印刷のいずれか一方又は両方が行われる場合に、第１印刷制御部１１１によって印刷された印刷物に含まれる前記差し替え用ページが印刷されたシートと交換することができるように、当該シートに印刷されたページに対応する前記通常印刷ページ及び前記親展印刷ページを当該シートにおけるレイアウトに従って印刷する。
【００７７】
なお、制御部１１は、第２印刷制御部１１３による印刷が実行される前に、前記差し替え用ページが印刷されたシートを給紙カセット１５１又は手差しトレイ１５２に載置するようユーザーに指示してもよい。この場合、第２印刷制御部１１３は、給紙カセット１５１又は手差しトレイ１５２に載置されたシートにおける前記差し替え用ページが印刷された位置に、当該差し替え用ページに対応する前記親展印刷ページを印刷してもよい。
【００７８】
また、第２印刷制御部１１３は、互いに前記セキュリティーレベルが異なる複数の前記親展印刷ページが前記印刷対象に含まれる場合において、判定処理部１１２によって前記セキュリティーレベルが共通の前記親展印刷ページごとに認証が行われる場合に、当該認証が成功するごとに当該認証に係る前記親展印刷ページを印刷してもよい。
【００７９】
付加処理部１１４は、前記親展印刷ジョブの前記印刷対象に含まれるページ各々に、当該ページが属する前記印刷対象においてページ順に連続する一若しくは複数の前記親展印刷ページ又は一若しくは複数の前記通常印刷ページによって構成されるグループ、及び当該グループの前記印刷対象における並び順の両方を示す識別画像Ｘ２０（図５参照）を付加する。
【００８０】
ここで、図５を参照しつつ、付加処理部１１４によって実行される処理の内容について説明する。図５は、前記親展印刷ジョブの前記印刷対象、及び当該親展印刷ジョブの実行によって出力される印刷物の一例を示す図である。図５には、前記印刷対象の一例として、原稿Ｘ１０が示されている。原稿Ｘ１０は、ページＸ１１〜Ｘ１６を含む。図５において、ページＸ１１〜Ｘ１６は、原稿Ｘ１０のページ順に並んでいる。なお、ページＸ１１〜Ｘ１６のそれぞれの上端部中央には、そのページのページ番号が付されている。ここでは、ページＸ１３、及びＸ１５が、前記親展印刷ページに定められているものと仮定する。即ち、原稿Ｘ１０に含まれる残りのページＸ１１〜Ｘ１２、Ｘ１４、及びＸ１６は前記通常印刷ページである。なお、図５では、前記親展印刷ページが破線によって示されている。
【００８１】
付加処理部１１４は、画像形成装置１０において原稿Ｘ１０を前記印刷対象とする前記親展印刷ジョブの実行指示が受信された場合に、原稿Ｘ１０に含まれるページＸ１１〜Ｘ１６をグループ分けする。
【００８２】
具体的に、付加処理部１１４は、原稿Ｘ１０においてページ順に連続する前記通常印刷ページであるページＸ１１、及びページＸ１２を、第１のグループに分類する。また、付加処理部１１４は、原稿Ｘ１０においてページ順に連続する前記親展印刷ページであるページＸ１３を、第２のグループに分類する。また、付加処理部１１４は、原稿Ｘ１０においてページ順に連続する前記通常印刷ページであるページＸ１４を、第３のグループに分類する。また、付加処理部１１４は、原稿Ｘ１０においてページ順に連続する前記親展印刷ページであるページＸ１５を、第４のグループに分類する。また、付加処理部１１４は、原稿Ｘ１０においてページ順に連続する前記通常印刷ページであるページＸ１６を、第５のグループに分類する。
【００８３】
そして、付加処理部１１４は、ページＸ１１〜Ｘ１６の各々に、そのページが属するグループ及び当該グループの原稿Ｘ１０における並び順の両方を示す識別画像Ｘ２０を付加する。
【００８４】
具体的に、付加処理部１１４は、前記第１のグループに属するページＸ１１、及びページＸ１２の各々に、前記第１のグループ及び前記第１のグループの原稿Ｘ１０における並び順の両方を示す識別画像Ｘ２１を付加する。図５に示されるように、識別画像Ｘ２１は一つの星形の画像である。
【００８５】
また、付加処理部１１４は、前記第２のグループに属するページＸ１３に、前記第２のグループ及び前記第２のグループの原稿Ｘ１０における並び順の両方を示す識別画像Ｘ２２を付加する。図５に示されるように、識別画像Ｘ２２は縦に並ぶ二つの星形の画像である。
【００８６】
また、付加処理部１１４は、前記第３のグループに属するページＸ１４に、前記第３のグループ及び前記第３のグループの原稿Ｘ１０における並び順の両方を示す識別画像Ｘ２３を付加する。図５に示されるように、識別画像Ｘ２３は縦に並ぶ三つの星形の画像である。
【００８７】
また、付加処理部１１４は、前記第４のグループに属するページＸ１５に、前記第４のグループ及び前記第４のグループの原稿Ｘ１０における並び順の両方を示す識別画像Ｘ２４を付加する。図５に示されるように、識別画像Ｘ２４は縦に並ぶ四つの星形の画像である。
【００８８】
また、付加処理部１１４は、前記第５のグループに属するページＸ１６に、前記第５のグループ及び前記第５のグループの原稿Ｘ１０における並び順の両方を示す識別画像Ｘ２５を付加する。図５に示されるように、識別画像Ｘ２５は縦に並ぶ五つの星形の画像である。
【００８９】
なお、本発明における識別画像は、図５に示された識別画像Ｘ２０とは異なる画像であってもよい。例えば、本発明における識別画像は、星形とは異なる形状の一又は複数の画像であってもよい。また、本発明における識別画像は、ページにおける付加位置によって当該識別画像に対応するグループ及び当該グループの並び順が示された所定の形状の画像であってもよい。また、制御部１１は、付加処理部１１４を含んでいなくてもよい。
【００９０】
ここで、第１印刷制御部１１１は、前記識別画像が付加された前記通常印刷ページ各々を印刷する。また、第２印刷制御部１１３は、前記識別画像が付加された前記親展印刷ページ各々を印刷する。
【００９１】
［印刷ジョブ設定処理］
以下、図３を参照しつつ、画像形成システム１００において情報処理装置３０の制御部３１により実行される印刷ジョブ設定処理の手順の一例とともに、本発明に係る画像形成方法の手順の一部について説明する。ここで、ステップＳ１１、Ｓ１２・・・は、制御部３１により実行される処理手順（ステップ）の番号を表している。なお、前記印刷ジョブ設定処理は、操作表示部３２におけるユーザーの操作によって前記印刷ジョブ設定処理の実行指示が入力された場合に実行される。
【００９２】
＜ステップＳ１１＞
まず、ステップＳ１１において、制御部３１は、前記設定画面を操作表示部３２に表示させる。
【００９３】
＜ステップＳ１２＞
ステップＳ１２において、制御部３１は、前記設定画面において前記親展印刷が設定対象に選択されたか否かを判断する。
【００９４】
ここで、制御部３１は、前記設定画面において前記親展印刷が設定対象に選択されたと判断すると（Ｓ１２のＹｅｓ側）、処理をステップＳ１３に移行させる。また、前記親展印刷が設定対象に選択されていなければ（Ｓ１２のＮｏ側）、制御部３１は、処理をステップＳ１６に移行させる。
【００９５】
＜ステップＳ１３＞
ステップＳ１３において、制御部３１は、前記ページ選択画面を操作表示部３２に表示させて、当該ページ選択画面におけるユーザーの操作に応じて前記印刷対象の一部を前記親展印刷ページとして決定する。ここに、ステップＳ１３の処理が、本発明における決定ステップの一例であって、制御部３１の決定処理部３１１により実行される。
【００９６】
＜ステップＳ１４＞
ステップＳ１４において、制御部３１は、前記セキュリティーレベル設定画面を操作表示部３２に表示させて、当該セキュリティーレベル設定画面におけるユーザーの操作に応じて前記親展印刷ページ各々に前記セキュリティーレベルを設定する。ここで、ステップＳ１４の処理は、制御部３１の第１設定処理部３１２により実行される。
【００９７】
＜ステップＳ１５＞
ステップＳ１５において、制御部３１は、前記パスワード設定画面を操作表示部３２に表示させて、当該パスワード設定画面におけるユーザーの操作に応じて前記親展印刷ジョブにパスワードを設定する。ここで、ステップＳ１５の処理は、制御部３１の第２設定処理部３１３により実行される。
【００９８】
＜ステップＳ１６＞
ステップＳ１６において、制御部３１は、前記設定画面において前記印刷ジョブの実行指示の送信指示が入力されたか否かを判断する。
【００９９】
ここで、制御部３１は、前記設定画面において前記印刷ジョブの実行指示の送信指示が入力されたと判断すると（Ｓ１６のＹｅｓ側）、処理をステップＳ１７に移行させる。また、前記印刷ジョブの実行指示の送信指示が入力されていなければ（Ｓ１６のＮｏ側）、制御部３１は、処理をステップＳ１２に移行させる。
【０１００】
なお、制御部３１は、ステップＳ１６で前記印刷ジョブの実行指示の送信指示が入力されたと判断するまでの間、前記設定画面におけるユーザーの操作に応じて、前記親展印刷とは異なる前記設定項目についても、その内容の設定を行う。
【０１０１】
＜ステップＳ１７＞
ステップＳ１７において、制御部３１は、前記設定画面で設定された設定内容を含む前記印刷ジョブの実行指示を画像形成装置１０に送信する。ここで、ステップＳ１７の処理は、制御部３１の送信処理部３１４により実行される。
【０１０２】
なお、前記印刷ジョブ設定処理において、ステップＳ１４及びステップＳ１５のいずれか一方又は両方の処理は省略されてもよい。
【０１０３】
［印刷ジョブ実行処理］
次に、図４を参照しつつ、画像形成システム１００において画像形成装置１０の制御部１１により実行される前記印刷ジョブ実行処理の手順の一例とともに、本発明に係る画像形成方法の手順の残部について説明する。なお、前記印刷ジョブ実行処理は、情報処理装置３０から送信される前記印刷ジョブの実行指示を受信した場合に実行される。
【０１０４】
＜ステップＳ２１＞
まず、ステップＳ２１において、制御部１１は、受信した実行指示によって実行が指示された前記印刷ジョブが前記親展印刷ジョブであるか否かを判断する。
【０１０５】
ここで、制御部１１は、実行が指示された前記印刷ジョブが前記親展印刷ジョブであると判断すると（Ｓ２１のＹｅｓ側）、処理をステップＳ２２に移行させる。また、実行が指示された前記印刷ジョブが前記親展印刷ジョブでなければ（Ｓ２１のＮｏ側）、制御部１１は、処理をステップＳ２１１に移行させる。
【０１０６】
＜ステップＳ２１１＞
ステップＳ２１１において、制御部１１は、実行が指示された前記印刷ジョブを実行する。
【０１０７】
＜ステップＳ２２＞
ステップＳ２２において、制御部１１は、実行が指示された前記親展印刷ジョブの前記印刷対象に含まれるページ各々に、識別画像Ｘ２０（図５参照）を付加する。ここで、ステップＳ２２の処理は、制御部１１の付加処理部１１４により実行される。
【０１０８】
＜ステップＳ２３＞
ステップＳ２３において、制御部１１は、実行が指示された前記親展印刷ジョブの前記印刷対象のうち、前記通常印刷ページを印刷し、前記親展印刷ページの印刷を留保する。ここに、ステップＳ２３の処理が、本発明における第１印刷ステップの一例であって、制御部１１の第１印刷制御部１１１により実行される。
【０１０９】
例えば、制御部１１は、実行が指示された前記親展印刷ジョブの前記印刷対象が図５に示される原稿Ｘ１０である場合に、前記通常印刷ページであるページＸ１１〜Ｘ１２、Ｘ１４、及びＸ１６を印刷する（図５における下部左側参照）。
【０１１０】
＜ステップＳ２４＞
ステップＳ２４において、制御部１１は、操作表示部１６におけるユーザーの操作により前記親展印刷ジョブの実行指示が入力されたか否かを判断する。
【０１１１】
ここで、制御部１１は、操作表示部１６におけるユーザーの操作により前記親展印刷ジョブの実行指示が入力されたと判断すると（Ｓ２４のＹｅｓ側）、処理をステップＳ２５に移行させる。また、前記親展印刷ジョブの実行指示が入力されていなければ（Ｓ２４のＮｏ側）、制御部１１は、ステップＳ２４で前記親展印刷ジョブの実行指示が入力されるのを待ち受ける。
【０１１２】
＜ステップＳ２５＞
ステップＳ２５において、制御部１１は、前記親展印刷ジョブの実行指示の送信者が画像形成装置１０の設置位置に到達したか否かを判定する。ここに、ステップＳ２５の処理が、本発明における判定ステップの一例であって、制御部１１の判定処理部１１２により実行される。
【０１１３】
具体的に、制御部１１は、前記印刷対象に含まれる前記親展印刷ページの前記セキュリティーレベルが共通である場合に、当該セキュリティーレベルに対応する前記認証方法を用いて、画像形成装置１０の操作者が前記親展印刷ジョブの実行指示の送信者であることを認証する。
【０１１４】
また、制御部１１は、互いに前記セキュリティーレベルが異なる複数の前記親展印刷ページが前記印刷対象に含まれる場合に、当該複数の前記親展印刷ページに対応する複数の前記セキュリティーレベルのうち、最も高い前記セキュリティーレベルに対応する前記認証方法を用いて、画像形成装置１０の操作者が前記親展印刷ジョブの実行指示の送信者であることを認証する。
【０１１５】
そして、制御部１１は、画像形成装置１０の操作者が前記親展印刷ジョブの実行指示の送信者であることが認証された場合に、前記親展印刷ジョブの実行指示の送信者が画像形成装置１０の設置位置に到達したと判定する。
【０１１６】
ここで、制御部１１は、前記親展印刷ジョブの実行指示の送信者が画像形成装置１０の設置位置に到達したと判定すると（Ｓ２５のＹｅｓ側）、処理をステップＳ２６に移行させる。また、前記親展印刷ジョブの実行指示の送信者が画像形成装置１０の設置位置に到達したと判定されなければ（Ｓ２５のＮｏ側）、制御部１１は、処理をステップＳ２４に移行させる。
【０１１７】
＜ステップＳ２６＞
ステップＳ２６において、制御部１１は、前記親展印刷ジョブの前記印刷対象のうち前記親展印刷ページを印刷する。ここに、ステップＳ２６の処理が、本発明における第２印刷ステップの一例であって、制御部１１の第２印刷制御部１１３により実行される。
【０１１８】
例えば、制御部１１は、実行が指示された前記親展印刷ジョブの前記印刷対象が図５に示される原稿Ｘ１０である場合に、前記親展印刷ページであるページＸ１３、及びＸ１５を印刷する（図５における下部右側参照）。
【０１１９】
ここで、前記印刷ジョブ実行処理では、図５に示されるように、識別画像Ｘ２０が付加された前記通常印刷ページ及び前記親展印刷ページが印刷される。そのため、ユーザーは、前記通常印刷ページが印刷されたシート束のどの部分に、前記親展印刷ページ各々が印刷されたシートを差し挟めばよいかを直感的に把握することが可能である。そのため、前記通常印刷ページが印刷されたシート束と前記親展印刷ページが印刷されたシート束とを統合するユーザーの手間を軽減することが可能である。
【０１２０】
なお、前記印刷ジョブ実行処理において、ステップＳ２２の処理は省略されてもよい。
【０１２１】
このように、画像形成システム１００では、画像形成装置１０において情報処理装置３０から送信される前記親展印刷ジョブの実行指示が受信された場合に、当該親展印刷ジョブの前記印刷対象のうち、前記通常印刷ページが印刷されて、前記親展印刷ページの印刷が留保される。そして、前記親展印刷ジョブの実行指示の送信者が画像形成装置１０の設置位置に到達したと判定された場合に、当該親展印刷ジョブの前記印刷対象のうち前記親展印刷ページが印刷される。即ち、画像形成システム１００では、前記親展印刷ジョブの実行指示の送信者が画像形成装置１０の設置位置に到達する前に、当該親展印刷ジョブの前記印刷対象に含まれる一部のページが印刷される。そのため、前記親展印刷の終了を待つユーザーの印刷待ち時間を短縮することが可能である。
【０１２２】
なお、情報処理装置３０の制御部３１は、ユーザー操作に応じて、前記親展印刷ジョブに保留時間又は実行時刻を設定可能であってもよい。この場合、制御部３１は、第１設定処理部３１２及び第２設定処理部３１３を備えていなくてもよい。また、画像形成装置１０の判定処理部１１２は、前記親展印刷ジョブに前記保留時間が設定されている場合は、当該親展印刷ジョブの実行指示の受信時から前記保留時間が経過した場合に、当該親展印刷ジョブの実行指示の送信者が画像形成装置１０の設置位置に到達したと判定してもよい。また、判定処理部１１２は、前記親展印刷ジョブに前記実行時刻が設定されている場合は、当該実行時刻が到来した場合に、当該親展印刷ジョブの実行指示の送信者が画像形成装置１０の設置位置に到達したと判定してもよい。
【０１２３】
また、情報処理装置３０の制御部３１に替わって、画像形成装置１０の制御部１１が、決定処理部３１１、及び第１設定処理部３１２を備えていてもよい。この場合、決定処理部３１１は、情報処理装置３０から前記印刷ジョブの実行指示を受信した場合に、実行が指示された前記印刷ジョブの前記印刷対象に含まれる複数のページから前記親展印刷ページとして決定されるページを前記キーワード又は前記マークに基づいて自動で選択する。また、第１設定処理部３１２は、前記親展印刷ページに含まれる前記キーワード又は前記マークの種類に基づいて、前記親展印刷ページに前記セキュリティーレベルを設定する。また、判定処理部１１２は、前記第１の認証方法、前記第２の認証方法、前記第３の認証方法、及び前記第４の認証方法とは異なる前記認証方法を用いて、画像形成装置１０の操作者が前記親展印刷ジョブの実行指示の送信者であることを認証する。
【符号の説明】
【０１２４】
１０    画像形成装置
１１    制御部
１２    ＡＤＦ
１３    画像読取部
１４    画像形成部
１５    給紙部
１６    操作表示部
１７    通信部
１８    記憶部
１９    音声入出力部
２０    撮影部
３０    情報処理装置
３１    制御部
３２    操作表示部
３３    通信部
３４    記憶部
４０    通信ネットワーク
１００  画像形成システム
１１１  第１印刷制御部
１１２  判定処理部
１１３  第２印刷制御部
１１４  付加処理部
３１１  決定処理部
３１２  第１設定処理部
３１３  第２設定処理部
３１４  送信処理部
【図１】
2020029059.tif 000003
【図２】
2020029059.tif 000004
【図３】
2020029059.tif 000005
【図４】
2020029059.tif 000006
【図５】
2020029059.tif 000007